(57)【特許請求の範囲】
【請求項１】
互いに対向する第１基板および第２基板と、前記第１基板および前記第２基板の間に設けられた液晶層とを有する液晶表示パネルを備え、
マトリクス状に配列された複数の画素を有する液晶表示装置であって、
前記第１基板は、前記複数の画素のそれぞれに設けられた第１電極と、前記第１電極とともに前記液晶層に横電界を生成する第２電極とを有し、
前記第２基板は、前記第１電極および前記第２電極に対向するように設けられ、前記第１電極および前記第２電極とともに前記液晶層に縦電界を生成する第３電極を有し、
前記複数の画素のそれぞれは、
前記液晶層に縦電界が生成された状態で黒表示が行われる黒表示状態と、
前記液晶層に横電界が生成された状態で白表示が行われる白表示状態と、
前記液晶層に電圧が印加されていない状態で前記液晶表示パネルの背面側が透けて見える透明表示状態と、を切り替えて呈することができ、
前記透明表示状態において、前記液晶層の液晶分子は、ツイスト配向をとり、
前記第１電極は、所定の方向に延びる複数のスリットを有し、
前記白表示状態および前記透明表示状態において、前記液晶層の液晶分子の平均的な配向方向は、前記所定の方向に平行か、または、直交する液晶表示装置。
【請求項２】
前記液晶表示パネルは、前記液晶層を介して互いに対向するように設けられた一対の水平配向膜をさらに有し、
前記一対の水平配向膜のそれぞれによって規定されるプレチルト方向は、前記所定の方向に対して略４５°の角をなす請求項１に記載の液晶表示装置。
【請求項３】
前記液晶表示パネルは、前記液晶層を介して互いに対向するように設けられ、クロスニコルに配置された一対の偏光板をさらに有し、
前記一対の偏光板のそれぞれの透過軸は、前記一対の水平配向膜のそれぞれによって規定されるプレチルト方向に対して略平行かまたは略直交する請求項２に記載の液晶表示装置。
【請求項４】
前記第１電極は、絶縁層を介して前記第２電極上に位置するように設けられている請求項１から３のいずれかに記載の液晶表示装置。
【請求項５】
前記第１基板は、前記第１電極、前記第２電極および前記第３電極とともに前記液晶層に縦電界を生成する第４電極をさらに有し、
前記第１電極および前記第２電極は、絶縁層を介して前記第４電極上に位置するように設けられている請求項１から３のいずれかに記載の液晶表示装置。
【請求項６】
前記液晶層は、正の誘電異方性を有する液晶分子を含む請求項１から５のいずれかに記載の液晶表示装置。
【請求項７】
前記液晶表示パネルに、赤色光、緑色光および青色光を含む複数の色光を切り替えて照射し得る照明素子をさらに備える請求項１から６のいずれかに記載の液晶表示装置。
【請求項８】
フィールドシーケンシャル方式でカラー表示を行う請求項１から７のいずれかに記載の液晶表示装置。
【請求項９】
前記液晶表示パネルは、カラーフィルタを有していない請求項１から８のいずれかに記載の液晶表示装置。
【発明の詳細な説明】
【技術分野】
【０００１】
本発明は、液晶表示装置に関し、特に、シースルーディスプレイとして好適に用いられる液晶表示装置に関する。
【背景技術】
【０００２】
近年、インフォーメーションディスプレイ用やデジタルサイネイジ用の表示装置として、シースルーディスプレイが注目を集めている。シースルーディスプレイでは、背景（表示パネルの背面側）が透けて見えるので、表示パネルに表示される情報と、背景とを重ね合せた表示が可能である。そのため、シースルーディスプレイは、訴求効果およびアイキャッチ効果に優れる。また、シースルーディスプレイを、ショーケースやショーウィンドウに用いることも提案されている。【０００３】
シースルーディスプレイとして液晶表示装置を用いる場合、その光利用効率が低いことがネックとなる。液晶表示装置の光利用効率が低いのは、一般的な液晶表示装置に設けられる、カラーフィルタや偏光板に起因している。カラーフィルタおよび偏光板は、特定の波長域の光や、特定の偏光方向の光を吸収する。【０００４】
そこで、フィールドシーケンシャル方式の液晶表示装置を用いることが考えられる。フィールドシーケンシャル方式では、照明素子から液晶表示パネルに照射される光の色が時分割で切り替えられることによってカラー表示が行われる。そのため、カラーフィルタが不要となり、光利用効率が向上する。ただし、フィールドシーケンシャル方式では、液晶表示装置に高速応答性が要求される。【０００５】
特許文献１および２には、液晶層に縦電界および横電界を切り替えて生成し得る電極構造が設けられることによって応答特性が向上した液晶表示装置が開示されている。特許文献１および２に開示されている液晶表示装置では、黒表示状態から白表示状態への遷移（立ち上がり）、および、白表示状態から黒表示状態への遷移（立ち下がり）の一方においては、液晶層に縦電界が生成され、他方においては、液晶層に横電界（フリンジ電界）が生成される。そのため、立ち上がりおよび立ち下がりの両方において、電圧印加によるトルクが液晶分子に作用するので、優れた応答特性が得られる。【０００６】
また、特許文献３にも、立ち上がりおよび立ち下がりの両方において電界による配向規制力を液晶分子に作用させることによって高速応答性を実現させた液晶表示装置が提案されている。
【先行技術文献】
【特許文献】
【０００７】
【特許文献１】特表２００６−５２３８５０号公報
【特許文献２】特開２００２−３６５６５７号公報
【特許文献３】国際公開第２０１３／００１９７９号
【発明の概要】
【発明が解決しようとする課題】
【０００８】
しかしながら、特許文献１、２および３に開示されているような液晶表示装置をシースルーディスプレイに用いると、後に詳述する理由から、背景がぼける（二重に視認される）という問題が発生し、表示品位が低下してしまうことがわかった。なお、特許文献１、２および３自体には、そのような用途（シースルーディスプレイへの適用）は言及されておらず、上述したような問題が発生することは、本願発明者が新たに見出した知見である。【０００９】
本発明は、上記問題に鑑みてなされたものであり、その目的は、応答特性および表示品位の両方に優れ、シースルーディスプレイとして好適に用いられる液晶表示装置を提供することにある。
【課題を解決するための手段】
【００１０】
本発明の実施形態による液晶表示装置は、互いに対向する第１基板および第２基板と、前記第１基板および前記第２基板の間に設けられた液晶層とを有する液晶表示パネルを備え、マトリクス状に配列された複数の画素を有する液晶表示装置であって、前記第１基板は、前記複数の画素のそれぞれに設けられた第１電極と、前記第１電極とともに前記液晶層に横電界を生成する第２電極とを有し、前記第２基板は、前記第１電極および前記第２電極に対向するように設けられ、前記第１電極および前記第２電極とともに前記液晶層に縦電界を生成する第３電極を有し、前記複数の画素のそれぞれは、前記液晶層に縦電界が生成された状態で黒表示が行われる黒表示状態と、前記液晶層に横電界が生成された状態で白表示が行われる白表示状態と、前記液晶層に電圧が印加されていない状態で前記液晶表示パネルの背面側が透けて見える透明表示状態と、を切り替えて呈し得る。【００１１】
ある実施形態では、前記透明表示状態において、前記液晶層の液晶分子は、ホモジニアス配向をとる。【００１２】
ある実施形態では、前記第１電極は、所定の方向に延びる複数のスリットを有し、前記白表示状態および前記透明表示状態において、前記液晶層の液晶分子は、前記所定の方向に略直交するように配向する。【００１３】
ある実施形態では、前記液晶表示パネルは、前記液晶層を介して互いに対向するように設けられた一対の水平配向膜をさらに有し、前記一対の水平配向膜のそれぞれによって規定されるプレチルト方向は、前記所定の方向に略直交する。【００１４】
ある実施形態では、前記液晶表示パネルは、前記液晶層を介して互いに対向するように設けられ、クロスニコルに配置された一対の偏光板をさらに有し、前記一対の偏光板のそれぞれの透過軸は、前記一対の水平配向膜のそれぞれによって規定されるプレチルト方向に対して略４５°の角をなす。【００１５】
ある実施形態では、前記透明表示状態において、前記液晶層の液晶分子は、ツイスト配向をとる。【００１６】
ある実施形態では、前記第１電極は、所定の方向に延びる複数のスリットを有し、前記白表示状態および前記透明表示状態において、前記液晶層の厚さ方向における中央付近の液晶分子は、前記所定の方向に略平行に配向する。【００１７】
ある実施形態では、前記液晶表示パネルは、前記液晶層を介して互いに対向するように設けられた一対の水平配向膜をさらに有し、前記一対の水平配向膜のそれぞれによって規定されるプレチルト方向は、前記所定の方向に対して略４５°の角をなす。【００１８】
ある実施形態では、前記液晶表示パネルは、前記液晶層を介して互いに対向するように設けられ、クロスニコルに配置された一対の偏光板をさらに有し、前記一対の偏光板のそれぞれの透過軸は、前記一対の水平配向膜のそれぞれによって規定されるプレチルト方向に対して略平行かまたは略直交する。【００１９】
ある実施形態では、前記第１電極は、絶縁層を介して前記第２電極上に位置するように設けられている。【００２０】
ある実施形態では、前記第１基板は、前記第１電極、前記第２電極および前記第３電極とともに前記液晶層に縦電界を生成する第４電極をさらに有し、前記第１電極および前記第２電極は、絶縁層を介して前記第４電極上に位置するように設けられている。【００２１】
ある実施形態では、前記液晶層は、正の誘電異方性を有する液晶分子を含む。【００２２】
ある実施形態では、前記液晶表示パネルに、赤色光、緑色光および青色光を含む複数の色光を切り替えて照射し得る照明素子をさらに備える。【００２３】
ある実施形態では、上述した液晶表示装置は、フィールドシーケンシャル方式でカラー表示を行う。【００２４】
ある実施形態では、前記液晶表示パネルは、カラーフィルタを有していない。
【発明の効果】
【００２５】
本発明の実施形態によると、応答特性および表示品位の両方に優れ、シースルーディスプレイとして好適に用いられる液晶表示装置が提供される。
【図面の簡単な説明】
【００２６】
【図１】本発明の実施形態による液晶表示装置１００を模式的に示す断面図である。
【図２】本発明の実施形態による液晶表示装置１００を模式的に示す平面図である。
【図３】液晶表示装置１００の背面基板１０における具体的な配線構造の一例を示す平面図である。
【図４】（ａ）および（ｂ）は、液晶表示装置１００の黒表示状態における液晶分子３１の配向状態を示す断面図および平面図である。
【図５】（ａ）および（ｂ）は、液晶表示装置１００の白表示状態における液晶分子３１の配向状態を示す断面図および平面図である。
【図６】（ａ）および（ｂ）は、液晶表示装置１００の透明表示状態における液晶分子３１の配向状態を示す断面図および平面図である。
【図７】本発明の実施形態による液晶表示装置２００を模式的に示す断面図である。
【図８】本発明の実施形態による液晶表示装置２００を模式的に示す平面図である。
【図９】（ａ）および（ｂ）は、液晶表示装置２００の黒表示状態における液晶分子３１の配向状態を示す断面図および平面図である。
【図１０】（ａ）および（ｂ）は、液晶表示装置２００の白表示状態における液晶分子３１の配向状態を示す断面図および平面図である。
【図１１】（ａ）および（ｂ）は、液晶表示装置２００の透明表示状態における液晶分子３１の配向状態を示す断面図および平面図である。
【図１２】シミュレーションによって得られた、立ち上がり期間および立ち下がり期間における、時間Ｔ（ｍｓ）と規格化輝度との関係を示すグラフである。
【図１３】シミュレーションによって得られた、立ち上がり期間の開始から３９ｍｓ後（Ｔ＝４９ｍｓ）における等電位線および液晶分子３１の配向方向を示す図である。
【図１４】シミュレーションによって得られた、立ち上がり期間および立ち下がり期間における時間Ｔ（ｍｓ）と規格化輝度との関係を、２種類の構成について示すグラフである。
【図１５】（ａ）および（ｂ）は、液晶表示装置１００の他の構成を模式的に示す斜視図および断面図である。
【図１６】液晶表示装置１００の他の構成を模式的に示す断面図である。
【図１７】液晶表示装置１００の他の構成を模式的に示す断面図である。
【図１８】比較例の液晶表示装置８００を模式的に示す断面図であり、（ａ）は黒表示を行っている状態を示し、（ｂ）は白表示を行っている状態を示す。
【図１９】二重ぼけが発生している様子を模式的に示す図である。
【発明を実施するための形態】
【００２７】
以下、図面を参照しながら本発明の実施形態を説明する。なお、本発明は以下の実施形態に限定されるものではない。
【００２８】
（実施形態１）
図１および図２に、本実施形態における液晶表示装置１００を示す。図１は、液晶表示装置１００を模式的に示す断面図であり、図２は、液晶表示装置１００を模式的に示す平面図である。
【００２９】
液晶表示装置１００は、図１に示すように、液晶表示パネル１と、照明素子２とを備える。また、液晶表示装置１００は、マトリクス状に配列された複数の画素を有する。図１および図２には、１つの画素に対応する電極構造が示されている。液晶表示装置１００は、後述するように、フィールドシーケンシャル方式でカラー表示を行う。
【００３０】
液晶表示パネル１は、互いに対向する第１基板１０および第２基板２０と、第１基板１０および第２基板２０の間に設けられた液晶層３０とを有する。以下では、第１基板１０および第２基板２０のうち、相対的に背面側に位置する第１基板１０を「背面基板」と呼び、相対的に前面側（観察者側）に位置する第２基板２０を「前面基板」と呼ぶ。
【００３１】
背面基板１０は、複数の画素のそれぞれに設けられた第１電極１１と、第１電極１１とともに液晶層３０に横電界を生成する第２電極１２とを有する。第１電極１１は、絶縁層１３を介して第２電極１２上に位置するように設けられている。言い換えると、第２電極１２は、絶縁層１３を介して第１電極１１下に位置するように設けられている。以下では、第１電極１１および第２電極１２のうち、相対的に上側に位置する第１電極１１を「上層電極」と呼び、相対的に下側に位置する第２電極１２を「下層電極」と呼ぶ。下層電極１２、絶縁層１３および上層電極１１は、絶縁性を有する透明基板（例えばガラス基板）１０ａによって支持されている。
【００３２】
上層電極１１は、図１および図２に示すように、所定の方向ｄ１に延びる複数のスリット１１ａと、スリット１１ａの延びる方向ｄ１に平行に延びる複数の枝状部１１ｂとを有する。なお、スリット１１ａおよび枝状部１１ｂの本数は、図１および図２に示している例に限定されるものではない。また、スリット１１ａの幅ｗ１に特に制限はない。スリット１１ａの幅ｗ１は、典型的には、２μｍ以上１０μｍ以下である。枝状部１１ｂの幅ｗ２にも特に制限はない。枝状部１１ｂの幅ｗ２は、典型的には、２μｍ以上１０μｍ以下である。上層電極１１は、透明な導電材料（例えばＩＴＯ）から形成されている。
【００３３】
下層電極１２は、スリットを有していない。つまり、下層電極１２は、いわゆるべた電極である。下層電極１２も、透明な導電材料（例えばＩＴＯ）から形成されている。
【００３４】
絶縁層１３の材料に特に制限はない。絶縁層１３の材料としては、例えば、酸化シリコン（ＳｉＯ2）や窒化シリコン（ＳｉＮ）のような無機材料や感光性樹脂のような有機材料を用いることができる。
【００３５】
前面基板２０は、上層電極（第１電極）１１および下層電極（第２電極）１２に対向するように設けられた第３電極（以下では「対向電極」と呼ぶ）２１を有する。対向電極２１は、絶縁性を有する透明基板（例えばガラス基板）２０ａによって支持されている。
【００３６】
対向電極２１は、上層電極１１および下層電極１２とともに液晶層３０に縦電界を生成する。対向電極２１は、透明な導電材料（例えばＩＴＯ）から形成されている。
【００３７】
液晶層３０は、正の誘電異方性を有する液晶分子３１を含む。なお、図１および図２に示されている液晶分子３１の配向方向は、液晶層３０に電圧が印加されていない状態における配向方向である。
【００３８】
液晶表示パネル１は、液晶層３０を介して互いに対向するように設けられた一対の水平配向膜１４および２４をさらに有する。一対の水平配向膜１４および２４の一方（以下では「第１水平配向膜」と呼ぶこともある）１４は、背面基板１０の液晶層３０側の表面に形成されている。また、一対の水平配向膜１４および２４の他方（以下では「第２水平配向膜」と呼ぶこともある）２４は、前面基板２０の液晶層３０側の表面に形成されている。
【００３９】
第１水平配向膜１４および第２水平配向膜２４のそれぞれには、配向処理が施されており、液晶層３０の液晶分子３１を所定の方向（「プレチルト方向」と呼ばれる）に配向させる配向規制力を有する。配向処理としては、例えば、ラビング処理や光配向処理が行われる。
【００４０】
第１水平配向膜１４および第２水平配向膜２４のそれぞれによって規定されるプレチルト方向は、液晶層３０に電圧が印加されていない状態（電界が生成されていない状態）において液晶分子３１がホモジニアス配向をとるように設定されている。具体的には、第１水平配向膜１４および第２水平配向膜２４のそれぞれによって規定されるプレチルト方向は、上層電極１１のスリット１１ａの延びる方向ｄ１に略直交している。つまり、第１水平配向膜１４によって規定されるプレチルト方向と、第２水平配向膜２４によって規定されるプレチルト方向とは、互いに平行または反平行である。
【００４１】
また、液晶表示パネル１は、液晶層３０を介して互いに対向するように設けられた一対の偏光板１５および２５をさらに有する。一対の偏光板１５および２５の一方（以下では「第１偏光板」とも呼ぶ）１５の透過軸（偏光軸）１５ａと、他方（以下では「第２偏光板」とも呼ぶ）２５の透過軸（偏光軸）２５ａとは、図２に示すように、略直交している。つまり、第１偏光板１５および第２偏光板２５は、クロスニコルに配置されている。本実施形態では、第１偏光板１５および第２偏光板２５のそれぞれの透過軸１５ａおよび２５ａは、第１水平配向膜１４および第２水平配向膜２４のそれぞれによって規定されるプレチルト方向に対して略４５°の角をなす。従って、第１偏光板１５および第２偏光板２５のそれぞれの透過軸１５ａおよび２５ａは、上層電極１１のスリット１１ａの延びる方向ｄ１に対して略４５°の角をなす。
【００４２】
照明素子（「バックライト」と呼ばれることもある）２は、液晶表示パネル１の背面側に配置されている。照明素子２は、液晶表示パネル１に、赤色光、緑色光および青色光を含む複数の色光を切り替えて照射することができる。
【００４３】
照明素子２としては、例えば、図１に示されているような、エッジライト方式のバックライトを用いることができる。エッジライト方式のバックライト２は、光源ユニット２ａと、導光板２ｂとを有する。光源ユニット２ａは、赤色光、緑色光および青色光を含む複数の色光を発し得る。光源ユニット２ａは、例えば、赤色ＬＥＤ、緑色ＬＥＤおよび青色ＬＥＤを含む。導光板２ｂは、光源ユニット２ａから発せられた色光を、液晶表示パネル１に導く。
【００４４】
液晶表示装置１００は、フィールドシーケンシャル方式でカラー表示を行う。そのため、液晶表示パネル１は、カラーフィルタを有していない。
【００４５】
上層電極１１と下層電極１２との間に所定の電圧が印加されると（つまり所定の電位差が与えられると）、液晶層３０に横電界（フリンジ電界）が生成される。「横電界」は、基板面に略平行な成分を含む電界である。上層電極１１および下層電極１２によって生成される横電界の向きは、上層電極１１のスリット１１ａの延びる方向ｄ１に対して略直交する。
【００４６】
対向電極２１と、上層電極１１および下層電極１２との間に所定の電圧が印加されると（つまり所定の電位差が与えられると）、縦電界が生成される。「縦電界」は、その向きが基板面法線方向に略平行な電界である。
【００４７】
液晶表示装置１００は、横電界および縦電界の強さを画素ごとに制御し得る構成を有している。典型的には、液晶表示装置１００は、上層電極１１および下層電極１２のそれぞれについて、画素ごとに異なる電圧を供給し得る構成を有する。具体的には、上層電極１１および下層電極１２の両方が画素ごとに分離して形成されており、各画素に、上層電極１１に電気的に接続されたスイッチング素子（例えば薄膜トランジスタ；不図示）と、下層電極１２に電気的に接続されたスイッチング素子（例えば薄膜トランジスタ；不図示）とが設けられている。上層電極１１および下層電極１２には、対応するスイッチング素子を介してそれぞれ所定の電圧が供給される。また、対向電極２１は、すべての画素にわたって連続した単一の導電膜として形成されている。従って、対向電極２１には、すべての画素において共通の電位が与えられる。
【００４８】
図３に、背面基板１０における具体的な配線構造の一例を示す。図３に示す構成では、各画素には、上層電極１１に対応する第１ＴＦＴ１６Ａと、下層電極１２に対応する第２ＴＦＴ１６Ｂとが設けられている。第１ＴＦＴ１６Ａおよび第２ＴＦＴ１６Ｂのそれぞれのゲート電極１６ｇは、ゲートバスライン（走査配線）１７に電気的に接続されている。ここでは、ゲートバスライン１７の、第１ＴＦＴ１６Ａおよび第２ＴＦＴ１６Ｂのチャネル領域に重なる部分がゲート電極１６ｇとして機能する。第１ＴＦＴ１６Ａおよび第２ＴＦＴ１６Ｂのそれぞれのソース電極１６ｓは、ソースバスライン（信号配線）１８に電気的に接続されている。ここでは、ソースバスライン１８から分岐した部分がソース電極１６ｓとして機能する。第１ＴＦＴ１６Ａのドレイン電極１６ｄは、上層電極１１に電気的に接続されている。これに対し、第２ＴＦＴ１６Ｂのドレイン電極１６ｄは、下層電極１２に電気的に接続されている。なお、背面基板１０の配線構造は、図３に例示したものに限定されない。
【００４９】
本実施形態における液晶表示装置１００では、複数の画素のそれぞれは、液晶層３０に縦電界が生成された状態で黒表示が行われる「黒表示状態」と、液晶層３０に横電界が生成された状態で白表示が行われる「白表示状態」と、液晶層３０に電圧が印加されていない状態で液晶表示パネル１の背面側（つまり背景）が透けて見える「透明表示状態」とを切り替えて呈し得る。
【００５０】
以下、図４、図５および図６を参照しながら、黒表示状態、白表示状態および透明表示状態をより詳しく説明する。
【００５１】
図４（ａ）および（ｂ）は、黒表示状態における液晶分子３１の配向状態を示している。黒表示状態では、対向電極２１と、上層電極１１および下層電極１２との間に所定の電圧が印加されており（例えば対向電極２１に０Ｖの電位が与えられ、上層電極１１および下層電極１２に７．５Ｖの電位が与えられる）、液晶層３０には縦電界が生成されている。図４（ａ）には、このときの電気力線が破線で模式的に示されている。
【００５２】
この黒表示状態においては、液晶層３０の液晶分子３１は、図４（ａ）および（ｂ）に示すように、基板面（背面基板１０および前面基板２０の表面）に略垂直に（つまり液晶層３０の層法線方向に略平行に）配向する。なお、第１水平配向膜１４および第２水平配向膜２４のごく近傍の液晶分子（「界面液晶」と呼ばれることもある）３１は、第１水平配向膜１４および第２水平配向膜２４の配向規制力の影響を強く受けるので、基板面に略平行に配向したままであるが、その他の領域（つまり液晶層３０の大部分の領域）における液晶分子（「バルク液晶」と呼ばれることもある）３１が基板面に略垂直に配向しているので、問題なく黒表示を行うことができる。
【００５３】
図５（ａ）および（ｂ）は、白表示状態における液晶分子３１の配向状態を示している。白表示状態では、上層電極１１と下層電極１２との間に所定の電圧が印加されており（例えば上層電極１１および対向電極２１に０Ｖの電位が与えられ、下層電極１２に７．５Ｖの電位が与えられる）、液晶層３０には横電界（フリンジ電界）が生成されている。図５（ａ）には、このときの電気力線が破線で模式的に示されている。
【００５４】
この白表示状態においては、液晶層３０の液晶分子３１は、図５（ａ）および（ｂ）に示すように、基板面に略平行に（つまり液晶層３０の層法線方向に略垂直に）配向する。より具体的には、液晶分子３１は、上層電極１１のスリット１１ａの延びる方向ｄ１に略直交するように配向する。つまり、液晶分子３１は、第１偏光板１５および第２偏光板２５のそれぞれの透過軸１５ａおよび２５ａに対して略４５°の角をなすように配向する。
【００５５】
図６（ａ）および（ｂ）は、透明表示状態における液晶分子３１の配向状態を示している。透明表示状態では、液晶層３０には電圧が印加されておらず（例えば上層電極１１、下層電極１２および対向電極２１にいずれも０Ｖの電位が与えられる）、液晶層３０には縦電界および横電界のいずれも生成されていない。
【００５６】
この透明表示状態においては、液晶層３０の液晶分子３１は、図６（ａ）および（ｂ）に示すように、ホモジニアス配向をとる。つまり、液晶分子３１は、基板面に略平行に（つまり液晶層３０の層法線方向に略垂直に）配向する。より具体的には、液晶分子３１は、上層電極１１のスリット１１ａの延びる方向ｄ１に略直交するように配向する。つまり、液晶分子３１は、第１偏光板１５および第２偏光板２５のそれぞれの透過軸１５ａおよび２５ａに対して略４５°の角をなすように配向する。液晶表示装置１００の各画素は、この透明表示状態において、もっとも（つまり黒表示状態および白表示状態のいずれにおいてよりも）光透過率が高くなる。
【００５７】
上述したように、本実施形態における液晶表示装置１００では、フィールドシーケンシャル方式でカラー表示を行うので、液晶表示パネル１にはカラーフィルタが不要である。そのため、光利用効率が向上する。また、液晶表示装置１００では、黒表示状態においては液晶層３０に縦電界が生成され、白表示状態においては液晶層３０に横電界が生成されるので、立ち下がり（白表示状態から黒表示状態への遷移）および立ち上がり（黒表示状態から白表示状態への遷移）の両方において、電圧印加によるトルクを液晶分子３１に作用させることができる。そのため、優れた応答特性が得られる。
【００５８】
さらに、本実施形態における液晶表示装置１００では、各画素は、黒表示状態および白表示状態だけでなく、液晶層３０に電圧が印加されていない状態である透明表示状態も呈し得る。この透明表示状態で背景表示を行うことにより、背景がぼける（二重に視認される）という問題の発生を防止することができる。以下、特許文献１〜３の液晶表示装置においてこの問題（二重ぼけ）が発生する理由を、比較例の液晶表示装置を参照しながら説明する。
【００５９】
図１８（ａ）および（ｂ）は、比較例の液晶表示装置８００において黒表示を行っている状態および白表示を行っている状態をそれぞれ示している。比較例の液晶表示装置８００は、特許文献３の図１および図２に示されている液晶表示装置と同じ構成を有する。
【００６０】
液晶表示装置８００は、アレイ基板８１０および対向基板８２０と、これらの間に設けられた液晶層８３０とを有する。アレイ基板８１０は、ガラス基板８１０ａと、ガラス基板８１０ａ上にこの順で積層された下層電極８１２、絶縁層８１３および一対の櫛歯電極（上層電極）８１７、８１８を有する。一方、対向基板８２０は、ガラス基板８２０ａと、ガラス基板８２０ａ上に形成された対向電極８２１とを有する。
【００６１】
液晶層８３０は、正の誘電異方性を有する液晶分子８３１を含む。液晶表示装置８００では、液晶層８３０の液晶分子８３１は、電圧無印加状態において垂直配向状態をとる。
【００６２】
比較例の液晶表示装置８００では、黒表示を行う際には、対向電極８２１と、下層電極８１２および上層電極（一対の櫛歯電極）８１７、８１８との間に所定の電圧を印加し（例えば対向電極８２１に７Ｖの電位を与え、下層電極８１２および上層電極８１７、８１８に１４Ｖの電位を与える）、液晶層８３０に縦電界を生成する。これにより、液晶分子８３１は、図１８（ａ）に示すように、基板面に略垂直に配向する。
【００６３】
また、比較例の液晶表示装置８００では、白表示を行う際には、一対の櫛歯電極８１７および８１８間に所定の電圧を印加し（例えば一方の櫛歯電極８１７に０Ｖの電位を与え、他方の櫛歯電極８１８に１４Ｖの電位を与える）、液晶層８３０に横電界を生成する。これにより、液晶分子８３１は、図１８（ｂ）に示すように、基板面法線方向に対して傾斜した配向状態をとる。
【００６４】
比較例の液晶表示装置８００を、単純にシースルーディスプレイに用いる場合、シースルー表示を行う、つまり、背景が透けて見えるような表示を行う際には、画素の光透過率が高い状態である白表示状態で行うことになる。しかしながら、白表示を行うための状態は、液晶層８３０に電圧を印加することによって液晶分子８３０を配向させた状態であるので、画素内で屈折率に分布が生じてしまう。そのため、この屈折率分布に起因して背面側からの光Ｌが散乱され（つまり光Ｌの進行方向が変わり；図１８（ｂ）参照）、背景がぼけてしまう。その結果、図１９に示すように、シースルーディスプレイＳＴＤＰを介して背景ＢＧを観察する観察者Ｖには、背景ＢＧが二重に視認されてしまう。
【００６５】
このように、液晶層３０に電圧が印加された状態である白表示状態でシースルー表示を行うと、二重ぼけが発生してしまう。これに対し、本実施形態における液晶表示装置１００では、液晶層３０に電圧が印加されていない状態（透明表示状態）の画素で背景表示（シースルー表示）を行うので、二重ぼけの発生が防止され、シースルー表示の品位を向上させることができる。
【００６６】
なお、液晶表示装置１００の白表示状態をシースルー表示に用いると、やはり二重ぼけが発生してしまう。白表示状態においては、液晶層３０に生成されている電界の影響により、画素内で屈折率の分布が生じてしまうからである。図５（ａ）には理想的な配向状態が示されているが、白表示状態においては、実際には、液晶分子３１は透明表示状態のような一様なホモジニアス配向とはならず、そのために透過率も透明表示状態より低い。また、比較例の液晶表示装置８００では、液晶層８３０に電圧が印加されていない状態では、光透過率が低い（黒表示を行っている状態とほぼ同じ透過率である）ので、シースルー表示を行うことはできない。
【００６７】
上述したように、本実施形態における液晶表示装置１００は、応答特性および表示品位の両方に優れているので、シースルーディスプレイとして好適に用いられる。
【００６８】
なお、液晶表示装置１００の複数の画素のそれぞれは、最低階調に対応した輝度を示す黒表示状態、最高階調に対応した輝度を示す白表示状態およびシースルー表示を行う透明表示状態に加えて、中間調に対応した輝度を示す「中間調表示状態」も呈し得る。中間調表示状態においては、液晶層３０に生成される横電界（フリンジ電界）の強さを調節する（例えば対向電極２１に０Ｖ、下層電極１２に７．５Ｖの電位が与えられるとともに、上層電極１１に０Ｖを超え７．５Ｖ未満の電位が与えられる）ことにより、所望の透過率を実現することができる。なお、上層電極１１および下層電極１２に与えられる電位の関係は、勿論ここで例示したものに限定されない。例えば、上層電極１１に与える電位を固定し、下層電極１２に与える電位を可変とすることによって、中間調表示を実現してもよい。
【００６９】
液晶表示装置１００では、液晶表示パネル１に表示される情報と背景とを重ねあわせた表示を行う場合、表示領域のうち情報を表示したい部分の画素は、黒表示状態、白表示状態または中間調表示状態を呈し、それ以外の部分の画素は透明表示状態を呈する。これらの表示状態の切り替えは、例えば、以下のようにして行うことができる。
【００７０】
一般的な液晶表示装置用の駆動回路は、８ビットのドライバＩＣを備えており、２５６階調（０〜２５５階調）分の出力電圧を発生させる。一般的な液晶表示装置では、０階調が黒表示状態、１〜２５４階調が中間調表示状態、２５５階調が白表示状態に割り当てられる。
【００７１】
本実施形態の液晶表示装置１００では、例えば、０階調を透明表示状態、１階調を黒表示状態、２〜２５４階調を中間調表示状態、２５５階調を白表示状態に割り当てることにより、黒表示状態、中間調表示状態、白表示状態および透明表示状態の切り替えを実現することができる。なお、透明表示状態を必ずしも０階調に割り当てる必要はなく、どの階調を透明表示状態に割り当ててもよい。また、例示した２５６階調表示以外の場合も同様に、特定の階調を透明表示状態に割り当てればよい。
【００７２】
上述したように、本実施形態の液晶表示装置１００では、各画素は、黒表示状態、白表示状態および透明表示状態を切り替えて呈し得る。従来のシースルーディスプレイでは、その種類（液晶表示装置、ＰＤＬＣディスプレイ、有機ＥＬディスプレイ等）を問わず、黒表示状態および白表示状態のいずれかでシースルー表示を行うことになる（つまり黒表示状態または白表示状態用の階調が、シースルー表示に割り当てられることになる）ので、黒表示状態および白表示状態のいずれとも印加電圧が異なった状態でシースルー表示を行うことはできない。これに対し、本実施形態の液晶表示装置１００では、各画素が、黒表示状態および白表示状態に加え、黒表示状態および白表示状態のいずれとも印加電圧の異なる透明表示状態を呈し得るので、二重ぼけの発生を防止することができる。
【００７３】
（実施形態２）
図７および図８に、本実施形態における液晶表示装置２００を示す。図７は、液晶表示装置２００を模式的に示す断面図であり、図８は、液晶表示装置２００を模式的に示す平面図である。
【００７４】
液晶表示装置２００は、液晶層３０に電圧が印加されていない状態（電界が生成されていない状態）において、液晶分子３１がツイスト配向をとる点において、実施形態１における液晶表示装置１００と異なっている。
【００７５】
液晶表示装置２００の第１水平配向膜１４および第２水平配向膜２４のそれぞれによって規定されるプレチルト方向は、上層電極１１のスリット１１ａの延びる方向ｄ１に対して略４５°の角をなしている。また、第２水平配向膜２４によって規定されるプレチルト方向は、第１水平配向膜１４によって規定されるプレチルト方向に対して９０°の角をなす。従って、液晶層３０に電圧が印加されていない状態において、液晶分子３１は、９０°ツイスト配向をとる。
【００７６】
また、第１偏光板１５および第２偏光板２５は、クロスニコルに配置されており、第１偏光板１５および第２偏光板２５のそれぞれの透過軸１５ａおよび２５ａは、第１水平配向膜１４および第２水平配向膜２４のそれぞれによって規定されるプレチルト方向に対して略平行かまたは略直交する。従って、第１偏光板１５および第２偏光板２５のそれぞれの透過軸１５ａおよび２５ａは、上層電極１１のスリット１１ａの延びる方向ｄ１に対して略４５°の角をなす。
【００７７】
本実施形態における液晶表示装置２００でも、複数の画素のそれぞれは、黒表示状態、白表示状態および透明表示状態を切り替えて呈し得る。以下、図９、図１０および図１１を参照しながら、黒表示状態、白表示状態および透明表示状態をより詳しく説明する。
【００７８】
図９（ａ）および（ｂ）は、黒表示状態における液晶分子３１の配向状態を示している。黒表示状態では、対向電極２１と、上層電極１１および下層電極１２との間に所定の電圧が印加されており（例えば対向電極２１に０Ｖの電位が与えられ、上層電極１１および下層電極１２に７．５Ｖの電位が与えられる）、液晶層３０には縦電界が生成されている。図９（ａ）には、このときの電気力線が破線で模式的に示されている。
【００７９】
この黒表示状態においては、液晶層３０の液晶分子３１は、図９（ａ）および（ｂ）に示すように、基板面（背面基板１０および前面基板２０の表面）に略垂直に（つまり液晶層３０の層法線方向に略平行に）配向する。なお、第１水平配向膜１４および第２水平配向膜２４のごく近傍の液晶分子３１は、第１水平配向膜１４および第２水平配向膜２４の配向規制力の影響を強く受けるので、基板面に略平行に配向したままであるが、これらの液晶分子３１は、第１偏光板１５の透過軸１５ａに対して略平行かまたは略直交しているので、第１偏光板１５を通過して液晶層３０に入射した光に対してほとんど位相差を与えず、コントラスト比をほとんど低下させない。
【００８０】
図１０（ａ）および（ｂ）は、白表示状態における液晶分子３１の配向状態を示している。白表示状態では、上層電極１１と下層電極１２との間に所定の電圧が印加されており（例えば上層電極１１および対向電極２１に０Ｖの電位が与えられ、下層電極１２に７．５Ｖの電位が与えられる）、液晶層３０には横電界（フリンジ電界）が生成されている。図１０（ａ）には、このときの電気力線が破線で模式的に示されている。
【００８１】
この白表示状態においては、液晶層３０の液晶分子３１は、図１０（ａ）および（ｂ）に示すように、基板面に略平行に（つまり液晶層３０の層法線方向に略垂直に）配向する。より具体的には、第１水平配向膜１４近傍の液晶分子３１と、第２水平配向膜２４近傍の液晶分子３１とが略９０°の角をなすように配向し、その結果、液晶層３０の厚さ方向における中央付近の液晶分子３１は、上層電極１１のスリット１１ａの延びる方向ｄ１に略平行に配向する。そのため、バルク液晶の平均的な配向方向は、スリット１１ａの延びる方向ｄ１に略平行となる（つまり第１偏光板１５および第２偏光板２５のそれぞれの透過軸１５ａおよび２５ａに対して略４５°の角をなす）。
【００８２】
図１１（ａ）および（ｂ）は、透明表示状態における液晶分子３１の配向状態を示している。透明表示状態では、液晶層３０には電圧が印加されておらず（例えば上層電極１１、下層電極１２および対向電極２１にいずれも０Ｖの電位が与えられる）、液晶層３０には縦電界および横電界のいずれも生成されていない。
【００８３】
この透明表示状態においては、液晶層３０の液晶分子３１は、図１１（ａ）および（ｂ）に示すように、ツイスト配向をとる。つまり、液晶分子３１は、基板面に略平行に（つまり液晶層３０の層法線方向に略垂直に）配向する。第１水平配向膜１４近傍の液晶分子３１と、第２水平配向膜２４近傍の液晶分子３１とが略９０°の角をなすように配向し、その結果、液晶層３０の厚さ方向における中央付近の液晶分子３１は、上層電極１１のスリット１１ａの延びる方向ｄ１に略平行に配向する。そのため、バルク液晶の液晶分子３１の平均的な配向方向は、スリット１１ａの延びる方向ｄ１に略平行となる（つまり第１偏光板１５および第２偏光板２５のそれぞれの透過軸１５ａおよび２５ａに対して略４５°の角をなす）。液晶表示装置２００の各画素は、この透明表示状態において、もっとも（つまり黒表示状態および白表示状態のいずれにおいてよりも）光透過率が高くなる。
【００８４】
上述したように、本実施形態における液晶表示装置２００においては、黒表示状態においては液晶層３０に縦電界が生成され、白表示状態においては液晶層３０に横電界が生成されるので、立ち下がり（白表示状態から黒表示状態への遷移）および立ち上がり（黒表示状態から白表示状態への遷移）の両方において、電圧印加によるトルクを液晶分子３１に作用させることができる。そのため、優れた応答特性が得られる。
【００８５】
また、本実施形態における液晶表示装置２００では、各画素は、黒表示状態および白表示状態だけでなく、液晶層３０に電圧が印加されていない状態である透明表示状態も呈し得る。この透明表示状態で背景表示を行うことにより、実施形態１における液晶表示装置１００と同様に、二重ぼけの発生を防止し、シースルー表示の品位を向上させることができる。
【００８６】
なお、液晶表示装置２００の白表示状態をシースルー表示に用いると、やはり二重ぼけが発生してしまう。白表示状態においては、液晶層３０に生成されている電界の影響により、画素内で屈折率の分布が生じてしまうからである。図１０（ａ）には理想的な配向状態が示されているが、白表示状態においては、実際には、液晶分子３１は透明表示状態のような一様なツイスト配向とはならず（後述する図１３参照）、そのために透過率も透明表示状態より低い。
【００８７】
上述したように、本実施形態における液晶表示装置１００は、応答特性および表示品位の両方に優れているので、シースルーディスプレイとして好適に用いられる。
【００８８】
ここで、白表示時に電圧印加を行うことによる応答速度の向上効果を、シミュレーションにより見積もった結果を説明する。シミュレーションに際しては、シミュレーションソフトとしてLCD MASTER 2D（シンテック社製）を用いた。また、セル厚（液晶層３０の厚さ）は３．５μｍとし、絶縁層１３は、厚さが１μｍで誘電率εが３．４の樹脂層と、厚さが０．３μｍで誘電率εが６．９のパッシベーション層とが積層されているものとした。また、上層電極１１の枝状部１１ｂの幅ｗ２およびスリット１１ａの幅ｗ１は、それぞれ３μｍおよび４μｍとした（つまりＬ／Ｓ＝３μｍ／４μｍ）。さらに、第１水平配向膜１４および第２水平配向膜２４のそれぞれによって規定されるプレチルト方向は、上層電極１１のスリット１１ａの延びる方向ｄ１に対して４５°の角をなしているものとした。
【００８９】
図１２および図１３に、シミュレーションの結果を示す。図１２には、立ち上がり期間（黒表示状態から白表示状態への遷移期間：Ｔ＝１０〜５０ｍｓ）および立ち下がり期間（白表示状態から黒表示状態への遷移期間：Ｔ＝５０ｍｓ〜６０ｍｓ）における、時間Ｔ（ｍｓ）と規格化輝度との関係（曲線ｃ１）が示されている。また、図１２には、比較のために、黒表示状態から電圧無印加状態（透明表示状態）への遷移期間（Ｔ＝１０〜５０ｍｓ）および電圧無印加状態（透明表示状態）から黒表示状態への遷移期間（Ｔ＝５０ｍｓ〜６０ｍｓ）における、時間Ｔ（ｍｓ）と規格化輝度との関係（曲線ｃ２）も示されている。また、図１３には、立ち上がり期間の開始から３９ｍｓ後（Ｔ＝４９ｍｓ）における等電位線および液晶分子３１の配向方向を示している。
【００９０】
図１２からわかるように、黒表示状態から白表示状態へ遷移させる場合（つまり液晶層３０に横電界を生成させる場合）、黒表示状態から電圧無印加状態へ遷移させる場合（つまり液晶層３０に電界を生成させない場合）よりも、規格化輝度の増加が速やかであり、応答速度が向上している。具体的には、前者の場合の応答時間（規格化輝度が０．１から０．９まで変化するのに要する時間であり、立ち上がり応答時間τｒと呼ばれる）が２．２ｍｓであるのに対し、後者の場合の応答時間（規格化輝度が０．１から０．９まで変化するのに要する時間）は１６．２ｍｓである。なお、白表示状態から黒表示状態へ遷移させる場合の応答時間（規格化輝度が０．９から０．１まで変化するのに要する時間であり、立ち下がり応答時間τｄと呼ばれる）および透明表示状態から黒表示状態へ遷移させる場合の応答時間（規格化輝度が０．９から０．１まで変化するのに要する時間）はいずれも約２．０ｍｓであり、ほぼ同じである。
【００９１】
また、白表示状態における規格化輝度と、透明表示状態における規格化輝度との比較（Ｔ＝５０ｍｓの時点での比較）から、白表示状態よりも透明表示状態の方が光透過率が高いことがわかる。フィールドシーケンシャル方式によりカラー表示を行う場合、白表示状態には、光透過率を多少犠牲にしてでも応答特性に優れることが求められる。一方、透明表示状態には、応答特性に優れていることよりも、光透過率が高いことが求められる。そのため、本実施形態における液晶表示装置２００（あるいは実施形態１における液晶表示装置１００）のように、白表示状態を電圧印加によって実現し、透明表示状態を電圧無印加によって実現することが、フィールドシーケンシャル方式のシースルーディスプレイに非常に適しているといえる。
【００９２】
なお、本実施形態においては、白表示状態において、液晶層３０の厚さ方向における中央付近の液晶分子３１が、上層電極１１のスリット１１ａの延びる方向ｄ１に略平行に配向する（つまりバルク液晶の平均的な配向方向がスリット１１ａの延びる方向ｄ１に略平行となる）構成（以下「構成１」と称する）を例示した。これに対し、白表示状態において、液晶層３０の厚さ方向における中央付近の液晶分子３１が、上層電極１１のスリット１１ａの延びる方向ｄ１に略直交するように配向する（つまりバルク液晶の平均的な配向方向がスリット１１ａの延びる方向ｄ１に略直交する）構成（以下「構成２」と称する）を採用することも考えられる。ただし、本願発明者がシミュレーションにより検討を行ったところ、応答特性のいっそうの向上を図る観点からは、構成１を採用する方が好ましいことがわかった（もちろん、構成２を採用してもよい）。
【００９３】
図１４に、立ち上がり期間（Ｔ＝１０〜５０ｍｓ）および立ち下がり期間（Ｔ＝５０ｍｓ〜６０ｍｓ）における時間Ｔ（ｍｓ）と規格化輝度との関係を、構成１を採用した場合（曲線ｃ３）および構成２を採用した場合（曲線ｃ４）の両方について示す。また、図１３には、参考のために、黒表示状態から電圧無印加状態（透明表示状態）への遷移期間（Ｔ＝１０〜５０ｍｓ）および電圧無印加状態（透明表示状態）から黒表示状態への遷移期間（Ｔ＝５０ｍｓ〜６０ｍｓ）における、時間Ｔ（ｍｓ）と規格化輝度との関係（曲線ｃ５）も示されている。
【００９４】
図１４からわかるように、構成１を採用した場合、構成２を採用した場合よりも規格化輝度の増加が速く、応答速度がさらに向上している。このように、応答特性の観点からは、構成１を採用することが好ましい。
【００９５】
上述したように、本発明の実施形態によれば、シースルーディスプレイ用の液晶表示装置の応答特性および表示品位を向上させることができる。なお、本発明の実施形態による液晶表示装置の具体的な構成は、上記の実施形態１および２で例示したものに限定されない。
【００９６】
図１および図６には、照明素子２としてエッジライト方式のバックライトが液晶表示パネル１の背面側に液晶表示パネル１に重なるように配置されている構成を例示したが、照明素子２はこの例に限定されるものではない。
【００９７】
例えば、図１５に示す構成を採用してもよい。図１５に示す構成では、液晶表示装置１００の液晶表示パネル１および照明素子２は、箱型の透明なケース５０に取り付けられている。液晶表示パネル１および照明素子２が取り付けられたケース５０は、例えばショーケースとして用いられる。
【００９８】
液晶表示パネル１は、ケース５０の複数の側面のうちのある側面５０ｓに取り付けられている。照明素子２は、ケース５０の上面５０ｔに取り付けられている。照明素子２は、既に説明したように、液晶表示パネル１に、赤色光、緑色光および青色光を含む複数の色光を切り替えて照射することができる。光の利用効率を高くする（照明素子２からの光をなるべく多く液晶表示パネル１に入射させる）観点からは、ケース５０の内側表面は、光拡散特性を有することが好ましい。
【００９９】
また、電極構造も、図１などに例示したものに限定されない。例えば、図１６および図１７に示すような電極構造を採用してもよい。図１６に示す例は、下層電極（第２電極）１２がスリット１２ａを有している点において、図１に示した例と異なっている。下層電極がスリットを有する電極構造は、国際公開第２０１３／００１９８０号に開示されている。下層電極１２がスリット１２ａを有していることにより、国際公開第２０１３／００１９８０号に記載されているように、さらなる応答特性および光透過率の向上を図ることができる。
【０１００】
図１７に示す例では、下層電極として第４電極１９が設けられており、この第４電極（下層電極）１４の上に、絶縁層１３を介して上層電極として第１電極１１および第２電極１２が設けられている。
【０１０１】
第１電極１１は、櫛歯状であり、複数のスリット１１ａおよび複数の枝状部１１ｂを有する。また、第２電極１２も、櫛歯状であり、複数のスリット１２ａおよび複数の枝状部１２ｂを有する。第１電極１１の枝状部１１ｂは、第２電極１２のスリット１２ａ内に位置し、第２電極１２の枝状部１２ｂは、第１電極１１のスリット１１ａ内に位置している。つまり、櫛歯状の第１電極１１および第２電極１２は、それぞれの枝状部１１ｂ、１２ｂが互いに噛合するように配置されている。
【０１０２】
図１７に示した例では、第１電極１１および第２電極１２によって横電界が生成され、第１電極１１、第２電極１２、第３電極１３および第４電極１４によって縦電界が生成される。つまり、横電界は、上層電極として設けられた一対の櫛歯状の電極（第１電極１１および第２電極１２）によって生成される。図１７に示したような電極構造を有する画素であっても、黒表示状態、白表示状態および透明表示状態を切り替えて呈することができる。
【０１０３】
なお、上記の説明では、フィールドシーケンシャル方式でカラー表示を行う場合について述べたが、本発明による実施形態の液晶表示装置は、必ずしもフィールドシーケンシャル方式でカラー表示を行うものでなくてもよい。液晶表示パネルがカラーフィルタを有するタイプの液晶表示装置であっても、画素が黒表示状態、白表示状態および透明表示状態を切り替えて呈し得ることにより、二重ぼけの発生を防止することができる。
【産業上の利用可能性】
【０１０４】
本発明の実施形態によると、応答特性および表示品位の両方に優れ、シースルーディスプレイとして好適に用いられる液晶表示装置が提供される。本発明の実施形態による液晶表示装置（シースルーディスプレイ）は、例えば、インフォーメーションディスプレイ用やデジタルサイネイジ用の表示装置として用いられる。
【符号の説明】
【０１０５】
１    液晶表示パネル
２    照明素子
２ａ    光源ユニット
２ｂ    導光板
１０    第１基板（背面基板）
１０ａ    透明基板
１１    第１電極（上層電極）
１１ａ    スリット
１１ｂ    枝状部
１２    第２電極（下層電極、上層電極）
１２ａ    スリット
１２ｂ    枝状部
１３    絶縁層
１４    第１水平配向膜
１５    第１偏光板
１５ａ    第１偏光板の透過軸
１６Ａ    第１ＴＦＴ
１６Ｂ    第２ＴＦＴ
１７    ゲートバスライン
１８    ソースバスライン
１９    第４電極（下層電極）
２０    第２基板（前面基板）
２０ａ    透明基板
２１    第３電極（対向電極）
２４    第２水平配向膜
２５    第２偏光板
２５ａ    第２偏光板の透過軸
３０    液晶層
３１    液晶分子
５０    ケース
１００、２００    液晶表示装置
【図１】
0005932135.tif 000002
【図２】
0005932135.tif 000003
【図３】
0005932135.tif 000004
【図４】
0005932135.tif 000005
【図５】
0005932135.tif 000006
【図６】
0005932135.tif 000007
【図７】
0005932135.tif 000008
【図８】
0005932135.tif 000009
【図９】
0005932135.tif 000010
【図１０】
0005932135.tif 000011
【図１１】
0005932135.tif 000012
【図１２】
0005932135.tif 000013
【図１３】
0005932135.tif 000014
【図１４】
0005932135.tif 000015
【図１５】
0005932135.tif 000016
【図１６】
0005932135.tif 000017
【図１７】
0005932135.tif 000018
【図１８】
0005932135.tif 000019
【図１９】
0005932135.tif 000020